(57)【特許請求の範囲】
【請求項１】
キャプスタンをそれぞれ有し、押鍵に応じてバランスピンを中心に回転する複数の鍵と、
前記複数の鍵それぞれの上側に対応して設けられたアクション機構と、
を備え、
前記アクション機構は、
前記鍵の押鍵操作に応じて前記キャプスタンにより押し上げられ、伝達保持軸を中心に回転する伝達部材と、
前記押鍵操作された鍵に対応する前記伝達部材の動作に応じて、前記伝達保持軸の上側に設けられているハンマー保持軸を中心に回転することにより、前記押鍵操作されている鍵に対してアクション荷重を付与するハンマー部材と、
前記伝達保持軸の上側かつ前記ハンマー保持軸の下側に設けられ、前記伝達部材の動作に応じて弾性変形することによって前記押鍵操作された鍵を介してクリック感を付与するクリック感付与部材と、
を備えていることを特徴とする鍵盤装置。
【請求項２】
請求項１に記載の鍵盤装置において、
前記クリック感付与部材は、前記伝達部材の配列方向に沿って配置された支持レール部と前記伝達部材との一方に設けられた弾性変形部と、前記支持レール部と前記伝達部材との他方に設けられて、前記弾性変形部を弾性変形させる押圧部と、
を備えていることを特徴とする鍵盤装置。
【請求項３】
請求項２に記載の鍵盤装置において、前記弾性変形部は前記支持レール部に設けられ、前記押圧部は前記伝達部材に設けられていることを特徴とする鍵盤装置。
【請求項４】
請求項２または請求項３に記載の鍵盤装置において、前記弾性変形部は、前記押圧部が当接して乗り越える際に弾性変形するフック部を備えていることを特徴とする鍵盤装置。
【請求項５】
請求項２または請求項３に記載の鍵盤装置において、前記弾性変形部は、前記押圧部が当接して押圧された際に弾性変形するドーム部を備えていることを特徴とする鍵盤装置。
【請求項６】
請求項１〜請求項５のいずれかに記載の鍵盤装置において、前記クリック感付与部材は、前記鍵が押鍵操作されて前記伝達部材が前記ハンマー部材を動作させた際に、前記ハンマー部材が上限位置に到達す前に、前記押鍵操作されている鍵を介してクリック感を付与することを特徴とする鍵盤装置。
【請求項７】
請求項１〜請求項６のいずれかに記載の鍵盤装置と、
前記鍵盤装置の前記複数の鍵の操作に応じて楽音を発生する音源部と、
前記複数のハンマー部材夫々に対応して設けられ、当該ハンマー部材の回転動作に応答して押圧されることにより、楽音を発音するためのオン信号を出力する複数のスイッチ部と、
を備えていることを特徴とする鍵盤楽器。
【発明の詳細な説明】
【技術分野】
【０００１】
この発明は、ピアノなどの鍵盤楽器に用いられる鍵盤装置および鍵盤楽器に関する。
【背景技術】
【０００２】
例えば、ピアノなどの鍵盤装置においては、特許文献１に記載されているように、鍵の押鍵操作によって回転するウイペンと、このウイペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
このような鍵盤装置は、鍵が押鍵操作されると、その押鍵操作された鍵によってウイペンが回転し、このウイペンに搭載されたジャックがウイペンによって駆動されてハンマー部材を押し上げることにより、ハンマー部材が回転して弦を打撃すると共に、ハンマー部材が回転して弦を打撃する際に、鍵荷重が急激に軽くなり、これによりアコ―スティックピアノの鍵タッチ感に近似した鍵タッチ感が得られるように構成されている。
【発明の概要】
【発明が解決しようとする課題】
【０００５】
しかしながら、このような鍵盤装置では、ウイペンにジャックを設けるために、支柱やレペティションレバーなどの部品が必要となるため、部品点数が多くなり、構造が複雑で煩雑になるばかりか、ウイペンおよびハンマー部材の製作が面倒で、生産性が悪いなどの問題がある。
【０００６】
この発明が解決しようとする課題は、簡単な構造で、生産性が良く、かつアコ―スティックピアノの鍵タッチ感に近似した鍵タッチ感を得ることができる鍵盤装置およびそれを備えた鍵盤楽器を提供することである。
【課題を解決するための手段】
【０００７】
この発明の一態様は、キャプスタンをそれぞれ有し、押鍵に応じてバランスピンを中心に回転する複数の鍵と、前記複数の鍵それぞれの上側に対応して設けられたアクション機構と、を備え、前記アクション機構は、前記鍵の押鍵操作に応じて前記キャプスタンにより押し上げられ、伝達保持軸を中心に回転する伝達部材と、前記押鍵操作された鍵に対応する前記伝達部材の動作に応じて、前記伝達保持軸の上側に設けられているハンマー保持軸を中心に回転することにより、前記押鍵操作されている鍵に対してアクション荷重を付与するハンマー部材と、前記伝達保持軸の上側かつ前記ハンマー保持軸の下側に設けられ、前記伝達部材の動作に応じて弾性変形することによって前記押鍵操作された鍵を介してクリック感を付与するクリック感付与部材と、を備えていることを特徴とする鍵盤装置である。
【発明の効果】
【０００８】
この発明によれば、押鍵操作された鍵によって伝達部材が回転し、この伝達部材の回転によってハンマー部材が上下方向に回転した際に、クリック感付与部材が伝達部材に弾性変形によるクリック感を発生させ、このクリック感を、レットオフ感として押鍵操作されている鍵を介してユーザ（演奏者）に付与することができる。これにより、アコ―スティックピアノの鍵タッチ感に近似した鍵タッチ感を得ることができると共に、クリック感付与部材が伝達部材に弾性変形によるクリック感を発生させる構成であるから、構造が簡単で、生産性が良く、低価格を図ることができる。
【図面の簡単な説明】
【０００９】
【図１】この発明を電子鍵盤楽器に適用した第１実施形態における鍵盤装置を示した平面図である。
【図２】図１に示された鍵盤装置のＡ−Ａ矢視における拡大断面図である。
【図３】図２に示された鍵盤装置におけるアクション機構を示した要部の拡大断面図である。
【図４】図３に示されたアクション機構において、鍵が押鍵操作された際に、クリック感付与部材が伝達部材にクリック感を発生させる状態を示した要部の拡大断面図である。
【図５】図４に示されたアクション機構において、鍵が更に押鍵操作されてハンマー部材が上限位置に到達した状態を示した要部の拡大断面図である。
【図６】図３に示されたクリック感付与部材を示し、（ａ）はクリック感付与部材の押圧部が弾性変形部のフック部に当接した状態を示した要部の拡大断面図、（ｂ）は押圧部が弾性変形部のフック部を弾性変形させて乗り越える状態を示した要部の拡大断面図、（ｃ）は押圧部が弾性変形部のフック部を乗り越えた状態を示した要部の拡大断面図である。
【図７】図２に示された鍵盤装置における押鍵特性を示した図である。
【図８】この発明を電子鍵盤楽器に適用した第２実施形態における鍵盤装置のアクション機構を示した拡大断面図である。
【図９】図８に示されたアクション機構において、鍵が押鍵操作された際に、クリック感付与部材が伝達部材にクリック感を発生させる状態を示した要部の拡大断面図である。
【図１０】図９に示されたアクション機構において、鍵が更に押鍵操作されてハンマー部材が上限位置に到達した状態を示した要部の拡大断面図である。
【図１１】図８に示されたクリック感付与部材を示し、（ａ）はクリック感付与部材の押圧部が弾性変形部のドーム部に当接した状態を示した要部の拡大断面図、（ｂ）は押圧部が弾性変形部のドーム部を弾性変形させた状態を示した要部の拡大断面図である。
【発明を実施するための形態】
【００１０】
（第１実施形態）
以下、図１〜図７を参照して、この発明を電子鍵盤楽器に適用した第１実施形態について説明する。
この電子鍵盤楽器は、図１および図２に示すように、鍵盤装置１を備えている。この鍵盤装置１は、楽器ケース（図示せず）内に組み込まれるものである。この鍵盤装置１は、並列に配列された複数の鍵２と、これら複数の鍵２の押鍵操作に応じて各鍵２それぞれにアクション荷重を付与するアクション機構３と、を備えている。
【００１１】
複数の鍵２は、図１および図２に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれバランスピン４ａ、４ｂによって上下方向に回転可能に支持され、この状態でベース板５上に並列に配列されている。すなわち、白鍵２ａと黒鍵２ｂとは、その前後方向の長さが異なり、白鍵２ａの長さが黒鍵２ｂの長さよりも長く形成されている。
【００１２】
これに伴って、ベース板５上には、図２に示すように、複数の鍵２の各前端部（図２では右端部）の各下面がそれぞれ接離可能に当接するクッション材６ａ、６ｂが鍵２の配列方向に沿って設けられている。また、このベース板５上には、複数の鍵２の各後端部（図２では左端部）の各下面がそれぞれ接離可能に当接するクッション材７が鍵２の配列方向に沿って設けられている。
【００１３】
これにより、複数の鍵２は、図２に示すように、前部側のクッション材６ａ、６ｂと後部側のクッション材７とによって、各鍵ストロークが設定されている。さらに、このベース板５上には、複数の鍵２がその配列方向に横振れするのを防ぐためのガイドピン８ａ、８ｂがそれぞれ起立して設けられている。  
【００１４】
アクション機構３は、図２および図３に示すように、複数の鍵２の押鍵操作に応じてそれぞれ上下方向に回転する複数の伝達部材１０と、これら複数の伝達部材１０の各回転動作に応じてそれぞれ上下方向に回転して複数の鍵２それぞれにアクション荷重を付与する複数のハンマー部材１１と、を備えている。
【００１５】
この場合、複数の鍵２は、図２に示すように、複数の伝達部材１０の各重量によって、バランスピン４ａ、４ｂを中心に反時計回りに回転して、各鍵２の前端部（図２では右端部）が初期位置に押し上げられることにより、各鍵２それぞれに初期荷重が付与されるように構成されている。
【００１６】
また、このアクション機構３は、図２〜図５に示すように、複数の伝達部材１０それぞれを回転自在に保持する複数の伝達保持部材１２と、複数のハンマー部材１１それぞれを回転自在に保持する複数のハンマー保持部材１３と、を備えている。複数の伝達保持部材１２は、鍵２の配列方向に沿って配置された伝達支持レール１４上に取り付けられている。
【００１７】
複数のハンマー保持部材１３は、図２〜図５に示すように、鍵２の配列方向に沿って配置されたハンマー支持レール１５上に取り付けられている。これら伝達支持レール１４およびハンマー支持レール１５は、複数の支持部材１６に支持された状態で、複数の鍵２の上方に配置されている。
【００１８】
複数の支持部材１６は、図１〜図５に示すように、鍵２の配列方向の全長における予め定められた複数個所にそれぞれ位置した状態で、ベース板５上に起立して取り付けられている。この場合、複数の鍵２は、全体で例えば８８個配列されている。これに応じて、複数の支持部材１６は、複数の鍵２の配列方向における両端部と、例えば２０個の鍵２ごとに位置する３箇所の各鍵２間と、の複数個所に配置されている。すなわち、この実施形態では、支持部材１６が鍵２の配列方向の全長における５箇所に配置されている。
【００１９】
この支持部材１６は、ＡＢＳ樹脂などの硬質の合成樹脂からなり、図２〜図５に示すように、ベース板５上に取り付けられる支持取付部１６ａと、この支持取付部１６ａ上に一体に形成されたブリッジ部１６ｂと、を有している。これにより、支持部材１６は、支持取付部１６ａがベース板５上に取り付けられることにより、ブリッジ部１６ｂが鍵２の上方に突出した状態で、複数の鍵２の後部間に配置されるように構成されている。
【００２０】
この場合、ブリッジ部１６ｂの後端下部、つまり支持取付部１６ａの後側上部（図２では左側上部）には、図２〜図５に示すように、伝達支持レール１４を支持する後側レール支持部１６ｃが設けられている。また、ブリッジ部１６ｂの前側上部（図２では右側上部）には、ハンマー支持レール１５を支持する前側レール支持部１６ｄが設けられている。また、ブリッジ部１６ｂの後側上部（図２では左側上部）には、ストッパレール支持部１６ｅが設けられている。さらに、ブリッジ部１６ｂの上部には、基板レール支持部１６ｆが設けられている。
【００２１】
伝達支持レール１４は、図２〜図５に示すように、帯板の両側部をその長手方向に沿って下側に向けて折り曲げた形状に形成され、複数の鍵２の配列方向の全長に亘る長さで形成されている。この伝達支持レール１４は、鍵２の配列方向における所定箇所が複数の支持部材１６の各後側レール支持部１６ｃ上に取り付けられるように構成されている。
【００２２】
この伝達支持レール１４上には、図２〜図５に示すように、複数の伝達保持部材１２が鍵２の配列方向に沿って取り付けられていると共に、複数のストッパ支持部１７が複数の支持部材１６に対応して取り付けられている。この場合、複数のストッパ支持部１７は、金属板からなり、複数の支持部材１６に対応する伝達支持レール１４上の５箇所に、複数の伝達保持部材１２の上方に突出した状態で取り付けられている。
【００２３】
伝達保持部材１２は、ＡＢＳ樹脂などの硬質の合成樹脂からなり、図２〜図５に示すように、伝達支持レール１４上に取り付けられる伝達保持本体部１８と、複数の伝達部材１０それぞれが回転自在に取り付けられる複数の軸支持部１９と、を有している。複数の軸支持部１９は、伝達保持本体部１８に例えば１０個程度の各鍵２に対応した状態で鍵２の配列方向に沿って一体に形成されている。
【００２４】
この軸支持部１９は、図２〜図５に示すように、伝達保持本体部１８の後端部（図２では左端部）に各鍵２と対応して形成された一対のガイド壁と、これら一対のガイド壁間に形成された伝達保持軸２０と、を有している。一対のガイド壁は、伝達部材１０の後述する伝達嵌合部２２を両側から摺動可能に挟んだ状態で、伝達部材１０の伝達嵌合部２２を回転可能にガイドするガイド部を構成している。
【００２５】
伝達部材１０は、ＡＢＳ樹脂などの硬質の合成樹脂からなり、図２〜図５に示すように、鍵２の押鍵操作に応じて上下方向に回転してハンマー部材１１を上下方向に回転させる伝達本体部２１と、この伝達本体部２１に一体に形成されて伝達保持部材１２の伝達保持軸２０に回転自在に取り付けられる伝達嵌合部２２と、を有している。
【００２６】
伝達本体部２１は、図２〜図５に示すように、ワッフル形状に形成されている。すなわち、この伝達本体部２１は、厚みの薄い縦板部２１ａと、この縦板部２１ａの外周部および両側面に格子状に形成された複数のリブ部２１ｂと、を有し、これらがワッフル形状に形成されている。この場合、伝達本体部２１は、縦板部２１ａの形状および複数のリブ部２１ｂの形成密度によって、伝達部材１０の重量が調整されるように構成されている。
【００２７】
伝達嵌合部２２は、図２〜図５に示すように、全体が逆Ｃ字形状に形成され、伝達本体部２１の後端部に後方に突出して形成されている。すなわち、この伝達嵌合部２２は、鍵２の配列方向の厚みが軸支持部１９の一対のガイド壁間に設けられた伝達保持軸２０とほぼ同じ長さに形成されて、一対のガイド壁間に摺動可能に挿入されるように構成されている。
【００２８】
また、この伝達嵌合部２２は、図２〜図５に示すように、その中心部に伝達保持部材１２の伝達保持軸２０が嵌合する嵌合孔２２ａが形成され、この嵌合孔２２ａの周囲における一部、つまり嵌合孔２２ａの周囲における後部に伝達保持軸２０が挿脱可能に挿入する挿入口２２ｂが形成された構成になっている。これにより、この伝達嵌合部２２は、挿入口２２ｂを通して伝達保持軸２０が嵌合孔２２ａに挿入することにより、伝達保持軸２０に回転可能に取り付けられるように構成されている。
【００２９】
ところで、伝達本体部２１の前端下部には、図２〜図５に示すように、伝達フェルト２３が設けられている。この伝達フェルト２３は、鍵２の後側上部に設けられたキャプスタン２４が下側から当接するように構成されている。これにより、伝達部材１０は、鍵２が押鍵された際に、伝達フェルト２３に下側から当接する鍵２のキャプスタン２４によって押し上げられて、伝達保持軸２０を中心に反時計回りに回転するように構成されている。
【００３０】
この場合、伝達部材１０の伝達本体部２１は、図２〜図５に示すように、その前端上部が後端上部よりも高く形成され、これにより上辺部が後部下がり（図２では左下がり）に傾斜するように形成されている。この伝達本体部２１の前端上部には、連動支持部２２ｄが上方に向けて突出して設けられている。
【００３１】
すなわち、この連動支持部２２ｄは、図３〜図５に示すように、後述するハンマー部材１１に当接することなく、ハンマー部材１１の側面に沿って上下方向に移動するように構成されている。また、この連動支持部２２ｄの側面には、後述する連動制御部３１の連動突起部３２が設けられている。
【００３２】
一方、ハンマー支持レール１５は、図１〜図５に示すように、伝達支持レール１４と同様、帯板の両側部をその長手方向に沿って下側に向けて折り曲げた形状に形成され、複数の鍵２の配列方向の全長に亘る長さに形成されている。このハンマー支持レール１５は、鍵２の配列方向における所定箇所が複数の支持部材１６の各前側レール支持部１６ｄ上に取り付けられるように構成されている。このハンマー支持レール１５上には、複数のハンマー保持部材１３が鍵２の配列方向に沿って取り付けられている。
【００３３】
ハンマー保持部材１３は、ＡＢＳ樹脂などの硬質の合成樹脂からなり、図２〜図５に示すように、上方が開放されたほぼ箱形状のレール状をなす取付本体部２５と、この取付本体部２５の後端部に鍵２の配列方向に沿って一体に形成された複数の軸支持部２６と、を有している。これら複数の軸支持部２６は、例えば１０個程度の各鍵２に対した状態で鍵２の配列方向に沿って配列されている。この軸支持部２６は、ハンマー部材１１が回転自在に取り付けられて、ハンマー部材１１の横振れを防ぐように構成されている。
【００３４】
すなわち、このハンマー保持部材１３の軸支持部２６は、図２〜図５に示すように、取付本体部２５の後端部（図２では左端部）に各伝達部材１０と対応して形成された一対のガイド壁と、これら一対のガイド壁間に形成されたハンマー保持軸２７と、を有している。一対のガイド壁は、ハンマー部材１１の後述するハンマー嵌合部２８を両側から摺動可能に挟んだ状態で、ハンマー部材１１のハンマー嵌合部２８を回転可能にガイドするガイド部を構成している。
【００３５】
ハンマー部材１１は、ＡＢＳ樹脂などの硬質の合成樹脂からなり、図２〜図５に示すように、回転中心部であるハンマー嵌合部２８と、予め定められた重量を有するハンマー部２９と、ハンマー嵌合部２８とハンマー部２９とを連結するハンマーアーム３０とを備え、これらが一体に形成された構成になっている。
【００３６】
ハンマー部２９は、図２〜図５に示すように、杓子形状の縦板部２９ａを有し、その外周部およびその両側面に複数のリブ部２９ｂが一体に形成された構成になっている。この場合、ハンマー部２９は、杓子形状の縦板部２９ａの形状および複数のリブ部２９ｂの形成密度によって、重量が調整されるように構成されている。
【００３７】
ハンマー嵌合部２８は、図２〜図５に示すように、伝達嵌合部２２と同様、全体がＣ字形状に形成され、ハンマーアーム３０の前端部に前方に突出して形成されている。すなわち、このハンマー嵌合部２８は、鍵２の配列方向の厚みが軸支持部２６の一対のガイド壁間に設けられたハンマー保持軸２７とほぼ同じ長さに形成されて、一対のガイド壁間に摺動可能に挿入されるように構成されている。
【００３８】
また、このハンマー嵌合部２８は、図２〜図５に示すように、その中心にハンマー保持部材１３のハンマー保持軸２７が嵌合する嵌合孔２８ａが形成され、この嵌合孔２８ａの周囲における一部、つまり嵌合孔２８ａの周囲における前部にハンマー保持軸２７が挿脱可能に挿入する挿入口２８ｂが形成された構成になっている。これにより、このハンマー嵌合部２８は、挿入口２８ｂを通してハンマー保持軸２７が嵌合孔２８ａに挿入することにより、ハンマー保持軸２７に回転可能に取り付けられるように構成されている。
【００３９】
ハンマーアーム３０は、図２〜図５に示すように、前後方向の長さが伝達部材１０とほぼ同じ長さの横板部３０ａを有し、この横板部３０ａの上下辺部および両側面に複数の補強リブ部３０ｂが一体に形成された構成になっている。このハンマーアーム３０の前端部には、ハンマー保持軸２７に回転可能に取り付けられるハンマー嵌合部２８が一体に形成されている。
【００４０】
また、ハンマーアーム３０の前端下部には、図２〜図５に示すように、連動取付部３０ｃが下方に向けて突出して設けられている。すなわち、この連動取付部３０ｃは、伝達部材１０の連動支持部２２ｄの側面に対面し、この状態で連動支持部２２ｄの側面に沿って上下方向に移動するように構成されている。また、この連動取付部３０ｃには、後述する連動制御部３１の連動突起部３２をガイドするガイド孔３３が設けられている。
【００４１】
すなわち、連動制御部３１は、図２〜図５に示すように、伝達部材１０の連動支持部２２ｄに設けられた連動突起部３２と、ハンマー部材１１の連動取付部３０ｃに設けられて連動突起部３２をガイドするガイド孔３３と、を有している。これにより、連動制御部３１は、押鍵操作された鍵２に対応する伝達部材１０の回転動作に伴うハンマー部材１１の回転動作を、ガイド孔３３に対する連動突起部３２の相対的な動作によって制御するように構成されている。
【００４２】
この場合、連動突起部３２は、図２〜図５に示すように、丸棒状の突起本体３２ａと、この突起本体３２ａの外周に設けられた円筒状の緩衝部３２ｂと、を備えている。突起本体３２ａは、伝達部材１０の伝達本体部２１に設けられた連動支持部２２ｄの前端上部に、鍵２の配列方向に向けて突出した状態で、一体に形成されている。
【００４３】
この突起本体３２ａは、図２〜図５に示すように、ハンマー部材１１の連動取付部３０ｃに設けられたガイド孔３３に緩衝部３２ｂと共に移動可能に挿入するように構成されている。緩衝部３２ｂは、ウレタン樹脂、シリコーン樹脂などの弾力性を有する合成樹脂からなり、ほぼ円筒状に形成され、ガイド孔３３の内周面に接触して摺動するように構成されている。
【００４４】
一方、連動制御部３１のガイド孔３３は、図２〜図５に示すように、連動突起部３２が移動可能に挿入する長孔であり、ハンマー部材１１のハンマーアーム３０の前端下部に設けられた連動取付部３０ｃに設けられている。このガイド孔３３は、伝達部材１０が伝達保持軸２０を中心に回転動作し、かつハンマー部材１１がハンマー保持軸２７を中心に回転動作する際における、連動突起部３２の相対的な動作軌跡（つまり移動軌跡）に沿って長く形成された長孔である。
【００４５】
すなわち、このガイド孔３３は、図２〜図５に示すように、その長手方向の中心線が、後下がり（図３では左下がり）に傾斜して設けられている。また、このガイド孔３３は、その長手方向と直交する方向の長さ（孔幅）が、連動突起部３２の外径つまり緩衝部３２ｂの外径とほぼ同じ大きさで、その長手方向の長さが連動突起部３２の外径の１．５倍〜２倍程度の長さに形成されている。
【００４６】
この場合、ガイド孔３３は、図２〜図５に示すように、その内部に連動突起部３２が挿入された状態で移動する際に、ガイド孔３３の内周面に連動突起部３２の緩衝部３２ｂが弾力的に接触して移動することにより、ハンマー部材１１の連動取付部３０ｃが伝達部材１０の連動支持部２２ｄに直接接触しないように構成されている。
【００４７】
これにより、連動制御部３１は、図２〜図５に示すように、押鍵操作された鍵２に対応する伝達部材１０が回転動作し、この伝達部材１０の回転動作に伴ってハンマー部材１１を連動させて回転動作させる際に、そのハンマー部材１１の回転動作を、ガイド孔３３に対する連動突起部３２の相対的な動作によって制御するように構成されている。
【００４８】
すなわち、この連動制御部３１は、図３〜図５に示すように、鍵２が押鍵操作されて伝達部材１０が伝達保持軸２０を中心に反時計回りに回転する際に、伝達部材１０の回転に伴って連動突起部３２がガイド孔３３の前端上部に当接してガイド孔３３の前端上部を押し上げることにより、ハンマー保持軸２７を中心にハンマー部材１１を時計回りに回転させるように構成されている。
【００４９】
また、この連動制御部３１は、図３〜図５に示すように、ハンマー部材１１が押し上げられる際に、連動突起部３２がガイド孔３３に沿って移動可能な状態になることにより、伝達部材１０の回転速度とハンマー部材１１の回転速度とが同じであっても、また異なっていても、伝達部材１０とハンマー部材１１とを連動させて回転動作させるように構成されている。
【００５０】
また、この連動制御部３１は、図５に示すように、押鍵操作された鍵２が初期位置に戻る際に、連動突起部３２がガイド孔３３に対して相対的に移動可能な状態であることにより、伝達部材１０がその自重によって伝達保持軸２０を中心に時計回りに回転すると共に、ハンマー部材１１がその自重によってハンマー保持軸２７を中心に反時計回りに回転するように構成されている。
【００５１】
さらに、この連動制御部３１は、図２および図３に示すように、伝達部材１０およびハンマー部材１１が初期位置に戻った際に、連動突起部３２がガイド孔３３の前端上部に向けて移動することにより、連動突起部３２がガイド孔３３の前端上部に当接または接近するように構成されている。
【００５２】
ところで、ハンマー部材１１は、図２〜図５に示すように、そのハンマーアーム３０後端下部が下限ストッパ３５に上方から当接することにより、初期位置である下限位置に規制されるように構成されている。すなわち、この下限ストッパ３５は、伝達支持レール１４上に設けられた複数のストッパ支持部１７に支持された下限ストッパレール３６上に取り付けられている。
【００５３】
これにより、ハンマー部材１１は、図２〜図５に示すように、その自重でハンマー保持軸２７を中心に反時計回りに回転した際に、ハンマーアーム３０の後端下部が下限ストッパ３５に上方から当接することにより、後部下がりに傾斜した状態で、初期位置に位置規制されるように構成されている。
【００５４】
また、このハンマー部材１１は、図５に示すように、鍵２が押鍵操作された際に、ハンマーアーム３０の後端上部が上限ストッパ３７に下方から当接することにより、上限位置が規制されるように構成されている。この場合、上限ストッパ３７は、複数の支持部材１６の各ストッパレール支持部１６ｅに取り付けられた上限ストッパレール３８の下面に取り付けられている。
【００５５】
これにより、ハンマー部材１１は、図５に示すように、ハンマーアーム３０がハンマー保持部材１３のハンマー保持軸２７を中心に時計回りに回転した際に、ハンマーアーム３０の後端上部が上限ストッパ３７に下方から当接することにより、上限位置が規制されるように構成されている。
【００５６】
さらに、ハンマーアーム３０の前端上部には、図１〜図５に示すように、スイッチ押圧部３９が形成されている。このハンマーアーム３０のスイッチ押圧部３９に対応する上方には、スイッチ基板４０が一対の基板支持レール４１によって配置されている。これら一対の基板支持レール４１は、それぞれ断面がＬ字形状に形成された長板であり、鍵２の配列方向の全長に亘る長さに形成されている。
【００５７】
これら一対の基板支持レール４１は、図１〜図５に示すように、その各水平部が複数の支持部材１６の各基板レール支持部１６ｆ上に所定間隔離れた状態で取り付けられている。スイッチ基板４０は、図１に示すように、複数に分割されている。すなわち、この実施形態では、スイッチ基板４０が例えば４つに分割されて２０個程度の各鍵２に対応する長さで、一対の基板支持レール４１上に取り付けられている。
【００５８】
これらスイッチ基板４０の下面には、図２〜図５に示すように、ゴムスイッチ４２がそれぞれ設けられている。このゴムスイッチ４２は、鍵２の配列方向に長いゴムシートに逆ドーム状の膨出部４２ａが複数のハンマーアーム３０にそれぞれ対応して形成された構成になっている。この膨出部４２ａの内部には、スイッチ基板４０の下面に設けられた複数の固定接点（図示せず）に接離可能に接触する複数の可動接点４２ｂがハンマーアーム３０の前後方向に沿って設けられている。
【００５９】
これにより、ゴムスイッチ４２は、図２〜図５に示すように、ハンマー部材１１がハンマー保持部材１３のハンマー保持軸２７を中心に時計回りに回転して、ハンマーアーム３０のスイッチ押圧部３９によって下側から押圧された際に、逆ドーム状の膨出部４２ａが弾性変形して、複数の可動接点４２ｂが時間をもって順次、複数の固定接点に接触するように構成されている。
【００６０】
また、音源部（図示せず）は、スイッチ基板４０上に設けられ、図５に示すように、鍵２の押鍵強さに応じて出力されたゴムスイッチ４２のスイッチ信号に応答して楽音を生成し、この楽音信号に基づいてスピーカ（図示せず）から楽音を放音させるように構成されている。
【００６１】
ところで、この鍵盤装置１のアクション機構３は、図３〜図６に示すように、ハンマー部材１１が上限位置に到達す前に、押鍵操作されている鍵２に対応する伝達部材１０に弾性変形によるクリック感を発生させ、このクリック感を、レットオフ感として押鍵操作されている鍵２を介してユーザに付与するクリック感付与部材４５を備えている。
【００６２】
このクリック感付与部材４５は、図３〜図６に示すように、アクション機構３における複数の支持部材１６に取り付けられて伝達部材１０の配列方向に沿って配置された支持レール部４６に設けられた弾性変形部４７と、伝達部材１０の伝達本体部２１に設けられて伝達部材１０の回転動作に応じて弾性変形部４７を弾性変形させる押圧部４８と、を備えている。
【００６３】
この場合、支持レール部４６は、図３〜図６に示すように、ハンマー支持レール１５の後端部に一体に形成され、複数の支持部材１６に設けられた各クリックレール支持部１６ｇに支持された状態で、鍵２の配列方向の全長に亘って配置されるように構成されている。すなわち、支持部材１６のクリックレール支持部１６ｇは、ハンマーレール支持部１６ｄの後部側に一段低く窪んだ形状で形成されている。
【００６４】
支持レール部４６は、図３〜図６に示すように、ハンマー支持レール１５の後端部における下部から後方に向けて取付部４６ａが水平に延び、この取付部４６ａの後端部が上方に向けて折り曲げられた構成になっている。これにより、支持レール部４６は、その取付部４６ａが支持部材１６のクリックレール支持部１６ｇ内に配置されて、伝達本体部２１の前端部に接近した状態で、クリックレール支持部１６ｇに取り付けられるように構成されている。
【００６５】
弾性変形部４７は、図２〜図６に示すように、支持レール部４６の取付部４６ａの下面に伝達部材１０の配列方向に沿って取り付けられる弾性取付部４９と、この弾性取付部４９に一体に形成されて複数の伝達部材１０それぞれに対応した状態で下側に向けて突出する弾性フック部５０と、を有している。弾性取付部４９は、ゴムシートなどの弾力を有する帯状のシートであり、支持レール部４６の取付部４６ａの下面に伝達部材１０の配列方向に沿って取り付けられている。
【００６６】
弾性フック部５０は、図６（ａ）〜図６（ｃ）に示すように、鍵２の前後方向に向けて弾性変形する変形支持部５０ａと、この変形支持部５０ａの下部に設けられて伝達部材１０の押圧部４８が当接する変形当接部５０ｂと、を有し、これらがフック形状に形成されている。すなわち、変形当接部５０ｂは、変形支持部５０ａの下部から伝達本体部２１の前端面に向けて突出する突起部であり、その下面が前側から後側に向けて高くなる傾斜面に形成されている。
【００６７】
一方、押圧部４８は、図６（ａ）〜図６（ｃ）に示すように、伝達部材１０の伝達本体部２１の前端部から弾性フック部５０の下側に向けて突出する当接突起部４８ａと、この当接突起部４８ａの下面に設けられた補強部４８ｂと、を有し、これらが伝達本体部２１に一体に形成されている。この押圧部４８は、伝達部材１０が伝達保持軸２０を中心に上方に回転した際に、当接突起部４８ａが弾性フック部５０に当接して弾性フック部５０を弾性変形させるように構成されている。
【００６８】
すなわち、この押圧部４８は、図６（ａ）〜図６（ｃ）に示すように、伝達部材１０が回転して、当接突起部４８ａが弾性フック部５０の変形当接部５０ｂの下面に当接すると、当接突起部４８ａの先端部が変形当接部５０ｂの下面の傾斜面に沿って移動することにより、変形支持部５０ａを伝達本体部２１から離れる方向（図６（ｂ）では右方向）に弾性変形させて、当接突起部４８ａが弾性フック部５０の変形当接部５０ｂを乗り越えるように構成されている。
【００６９】
これにより、クリック感付与部材４５は、図６（ａ）に示すように、鍵２の押鍵操作によって伝達部材１０が押し上げられて伝達保持軸２０を中心に回転して、ハンマー部材１１が上限位置に到達する前に、伝達部材１０の押圧部４８の当接突起部４８ａが支持レール部４６に設けられた弾性変形部４７の変形突起部４７ｂに下側か当接することにより、鍵荷重を重くするように構成されている。
【００７０】
また、このクリック感付与部材４５は、図６（ｂ）および図６（ｃ）に示すように、押圧部４８の当接突起部４８ａが弾性変形部４７の変形突起部４７ｂの下面に設けられた傾斜面に沿って移動する際に、当接突起部４８ａが変形支持部５０ａを伝達本体部２１から離れる方向に弾性変形させ、この状態で当接突起部４８ａが弾性フック部５０の変形当接部５０ｂを乗り越えることにより、伝達部材１０にクリック感を発生させて、鍵荷重が急激に軽くなるレットオフ感を鍵２に付与するように構成されている。
【００７１】
次に、このような電子鍵盤楽器の鍵盤装置１の作用について説明する。
この鍵盤装置１では、鍵２が押鍵操作されていない初期状態のときに、伝達部材１０がその自重で伝達保持部材１２の伝達保持軸２０を中心に時計回りに回転して、伝達本体部２１の下面に設けられた伝達フェルト２３が鍵２のキャプスタン２４に上方から当接する。
【００７２】
このときには、伝達部材１０の重量、つまり伝達本体部２１の縦板部２２ａの形状や厚みおよび複数のリブ部２２ｂ、２２ｃの形成密度によって設定されている重量が鍵２のキャプスタン２４に上方から加わる。これにより、鍵２が伝達部材１０によって押されてバランスピン４ａ、４ｂを中心に反時計回りに回転し、鍵２の後端部がクッション材６ａ、６ｂに当接して、鍵２が初期位置に規制されると共に、伝達部材１０も初期位置に規制されている。
【００７３】
また、このときには、ハンマー部材１１がその自重でハンマー保持部材１３のハンマー保持軸２７を中心に反時計回りに回転して、ハンマーアーム３０が下限ストッパ３５に当接して下限位置に位置規制されている。この状態では、ハンマー部材１１のスイッチ押圧部３９がスイッチ基板４０のゴムスイッチ４２から下側に離れた位置に配置される。このため、ゴムスイッチ４２は、その膨出部４２ａが膨張した自然状態になり、複数の可動接点４２ｂが固定接点（図示せず）から離れることにより、オフ状態になっている。
【００７４】
次に、このような状態の鍵２を押鍵操作して演奏する場合について説明する。
この場合には、鍵２が押鍵操されると、鍵２がバランスピン４ａ、４ｂを中心に図２において時計回りに回転し、鍵２のキャプスタン２４が伝達部材１０を押し上げる。このときには、伝達部材１０の重量である伝達本体部２１の縦板部２２ａの形状や厚みおよび複数のリブ部２２ｂ、２２ｃの形成密度によって設定されている重量が、鍵２に初期荷重として付与される。
【００７５】
これにより、伝達部材１０がその自重に抗して伝達保持部材１２の伝達保持軸２０を中心に図２において反時計回りに回転する。すると、伝達部材１０の回転動作が連動制御部３１によってハンマー部材１１に伝達され、ハンマー部材１１がその自重に抗して押上げられる。すなわち、伝達部材１０が図２において反時計回りに回転すると、この伝達部材１０の回転に伴って連動突起部３２がガイド孔３３の前端上部に当接してガイド孔３３の前端上部を押し上げる。
【００７６】
これにより、ハンマー部材１１がハンマー保持部材１３のハンマー保持軸２７を中心に図２において時計回りに回転して、鍵２にアクション荷重を付与する。すなわち、ハンマー部材１１がハンマー保持軸２７を中心に図２において時計回りに回転する際には、ハンマー部材１１の慣性モーメントによって鍵２にアクション荷重が付与される。この場合、ハンマーアーム３０は、図２に示すように、鍵２の前後方向の長さが伝達部材１０とほぼ同じ長さに形成され、このハンマーアーム３０の後端部にハンマー部２９が形成されている。
【００７７】
この状態で、ハンマーアーム３０のハンマー嵌合部２８がハンマー保持軸２７に回転可能に取り付けられているので、ハンマー部材１１がハンマー保持軸２７を中心に時計回りに回転する際には、ハンマー部材１１に慣性モーメントが発生する。この慣性モーメントによる負荷が連動制御部３１および伝達部材１０を介して鍵２にアクション荷重として付与される。このときには、図７にＦ１で示すように、鍵荷重が急に重くなる。
【００７８】
このようにハンマー部材１１がハンマー保持軸２７を中心に時計回りに回転すると、図４に示すように、ハンマーアーム３０のスイッチ押圧部３９がスイッチ基板４０に設けられたゴムスイッチ４２の逆ドーム状の膨出部４２ａを下側から押圧する。これにより、逆ドーム状の膨出部４２ａが弾性変形して、膨出部４２ａ内の複数の可動接点４２ｂが時間間隔を持って順次、複数の固定接点に接触する。
【００７９】
このときには、図７にＦ２で示すように、鍵荷重が再び重くなる。また、このときには、押鍵された鍵２に応じたスイッチ信号が音源部（図示せず）に供給され、この音源部で楽音データが生成され、この生成された楽音データに基づいて発音部としてのスピーカ（図示せず）から楽音を発生する。
【００８０】
そして、伝達部材１０が伝達保持軸２０を中心に更に回転すると、図４および図６に示すように、クリック感付与部材４５によって押鍵操作されている鍵２を介してクリック感がユーザに付与される。すなわち、鍵２の押鍵操作によって伝達部材１０が伝達保持軸２０を中心に回転して、ハンマー部材１１が上限位置に到達する前に、図６（ａ）に示すように、伝達部材１０の押圧部４８の当接突起部４８ａが支持レール部４６に設けられた弾性変形部４７の弾性フック部５０に下側から当接する。
【００８１】
この状態で、伝達部材１０が伝達保持軸２０を中心に更に回転すると、図６（ｂ）に示すように、クリック感付与部材４５の押圧部４８の当接突起部４８ａが弾性フック部５０の変形当接部５０ｂの下面に設けられた傾斜面に沿って移動しながら、変形支持部５０ａを伝達部材１０から離れる方向に弾性変形させる。このため、図７にＦ３で示すように、鍵荷重が急に重くなる。
【００８２】
そして、図６（ｃ）に示すように、当接突起部４８ａが弾性フック部５０の変形当接部５０ｂを乗り越えると、図７にＦ４で示すように、鍵荷重が急激に軽くなる。これにより、伝達部材１０にクリック感が発生し、このクリック感によって鍵２に鍵荷重が急激に軽くなるレットオフ感が付与される。
【００８３】
この後、ハンマー部材１１がハンマー保持軸２７を中心に更に時計回りに回転すると、ハンマーアーム３０が上限ストッパ３７に下側から当接して、ハンマー部材１１の回転が規制されて停止される。このときには、図７にＦ５で示すように、鍵荷重が再び急激に重くなる。これにより、アコ―スティックピアノの鍵タッチ感に近似した鍵タッチ感が得られる。
【００８４】
そして、鍵２に対する押鍵操作が終了して、鍵２が初期位置に戻る離鍵動作（復帰動作）を開始する際には、図７にＦ６で示すように、鍵荷重が急激に軽くなり、クリック感付与部材４５の押圧部４８が弾性変形部４７の弾性フック部５０に上側から当接すると、図７にＦ７で示すように、鍵荷重が少し緩やかに低下する。
【００８５】
この後、ハンマーアーム３０のスイッチ押圧部３９がスイッチ基板４０に設けられたゴムスイッチ４２の膨出部４２ａの弾性復帰力によって押し下げられるので、図７にＦ８で示すように、鍵荷重が更に緩やかに低下する。この状態で、ハンマー部材１１がハンマー保持軸２７を中心に反時計回りに更に回転し、ハンマーアーム３０のスイッチ押圧部３９がスイッチ基板４０のゴムスイッチ４２から下側に離れ、伝達部材１０がその自重で鍵２を押し下げると、図７にＦ９で示すように、鍵荷重が急に低下し、鍵２が初期位置に戻る。
【００８６】
このように、この電子鍵盤楽器の鍵盤装置１によれば、複数の鍵２それぞれに対応して設けられたアクション機構３が、鍵２の押鍵操作に応じて回転する伝達部材１０と、この伝達部材１０の回転に応じて上下方向に回転することにより、押鍵操作されている鍵２に対してアクション荷重を付与するハンマー部材１１と、伝達部材１０の動作に応じて弾性変形によることによって押鍵操作された鍵２を介してクリック感を付与するクリック感付与部材４５と、を備えていることにより、構造が簡単で、生産性が良く、かつアコ―スティックピアノの鍵タッチ感に近似した鍵タッチ感を得ることができる。
【００８７】
すなわち、この鍵盤装置１では、押鍵操作された鍵２によって伝達部材１０が回転し、この伝達部材１０の回転によってハンマー部材１１が上下方向に回転する際に、クリック感付与部材４５が伝達部材１０に弾性変形によるクリック感を発生させ、このクリック感をレットオフ感として押鍵操作されている鍵２を介してユーザに付与することができる。これにより、アコ―スティックピアノの鍵タッチ感に近似した鍵タッチ感を得ることができると共に、クリック感付与部材４５が伝達部材１０に弾性変形によるクリック感を発生させる構成であるから、構造が簡単で、生産性が良く、低価格を図ることができる。
【００８８】
この場合、クリック感付与部材４５は、伝達部材１０の配列方向に沿って配置された支持レール部４６に設けられた弾性変形部４７と、伝達部材１０それぞれに設けられて弾性変形部４７を弾性変形させる押圧部４８と、を備えていることにより、押圧部４８を伝達部材１０に一体に設けることができるので、弾性変形部４７が設けられた支持レール部４６を追加するだけで良いので、部品点数が少なく、構造が簡単で、生産性が良く、低価格を図ることができる。
【００８９】
また、このクリック感付与部材４５は、支持レール部４６がハンマー支持レール１５に一体に形成されているので、ハンマー支持レール１５を複数の支持部材１６に取り付けて複数の鍵２の配列方向における全長に亘って配置する際に、これと同時に支持レール部４６を鍵２の配列方向に沿って配置することができる。このため、支持レール部４６を備えていても、部品点数が増えることがなく、組立作業の簡素化を図ることができ、より一層、生産性の向上を図ることができる。
【００９０】
さらに、このクリック感付与部材４５の弾性変形部４７は、押圧部４８が当接して乗り越える際に弾性変形する弾性フック部５０を備えていることにより、押圧部４８が弾性変形部４７の弾性フック部５０に当接して弾性フック部５０が弾性変形する際に、鍵荷重を急激に重くすることができ、押圧部４８が弾性フック部５０を弾性変形させて乗り越えた際に、鍵荷重を急激に軽くすることができ、これにより鍵２にレットオフ感を付与することができるので、より一層、アコ―スティックピアノの鍵タッチ感に近似した鍵タッチ感を得ることができる。
【００９１】
すなわち、弾性変形部４７は、支持レール部４６の下面に伝達部材１０の配列方向に沿って取り付けられる弾性取付部４９と、この弾性取付部４９に一体に形成されて伝達部材１０それぞれに対応した状態で下側に向けて突出する弾性フック部５０と、を有していることにより、伝達部材１０それぞれに対応する弾性フック部５０を有していても、弾性取付部４９によって弾性フック部５０を伝達部材１０それぞれに対応させて組み付けることができるので、部品点数が少なく、構造が簡単で、生産性が良く、低価格を図ることができる。
【００９２】
また、この押圧部４８は、伝達部材１０の前端部から弾性フック部５０の下側に向けて突出する当接突起部４８ａと、この当接突起部４８ａの下面に設けられた補強部４８ｂと、を有し、これらが伝達本体部２１に一体に形成されているので、弾性フック部５０に対応する押圧部４８を備えていても、部品点数が増加することがなく、構造が簡単で、生産性が良く、低価格を図ることができる。
【００９３】
さらに、このクリック感付与部材４５は、弾性フック部５０が、鍵２の前後方向に向けて弾性変形する変形支持部５０ａと、この変形支持部５０ａの下部に設けられて伝達部材１０の押圧部４８が当接する変形当接部５０ｂと、を有し、押圧部４８が弾性フック部５０に当接して弾性フック部５０が弾性変形する際に、鍵荷重を急激に重くすることができ、押圧部４８が弾性フック部５０を弾性変形させて乗り越えた際に、鍵荷重を急激に軽くすることができる。
【００９４】
この場合、クリック感付与部材４５は、変形当接部５０ｂが、変形支持部５０ａの下部から伝達部材１０の前端面に向けて突出する突起部であり、その下面が前側から後側に向けて高くなる傾斜面に形成されているので、押圧部４８が弾性変形部４７の変形当接部５０ｂに当接した際に、押圧部４８の先端部を変形当接部５０ｂの傾斜面に沿って移動させながら変形支持部５０ａを円滑にかつ良好に弾性変形させることができ、これにより鍵荷重を急激に重くすることができる。
【００９５】
また、このクリック感付与部材４５では、押圧部４８が弾性変形部４７の変形支持部５０ａを弾性変形させた際に、押圧部４８が弾性変形部４７の変形当接部５０ｂを容易に乗り越えることができるので、鍵荷重を急激に軽くすることができ、これにより鍵２にレットオフ感を付与することができるので、アコ―スティックピアノの鍵タッチ感に近似した鍵タッチ感を得ることができる。
【００９６】
さらに、このクリック感付与部材４５は、鍵２が押鍵操作されて伝達部材１０がハンマー部材１１を回転させた際に、その回転したハンマー部材１１が上限位置に到達す前に、鍵２にクリック感を付与することにより、アコ―スティックピアノの鍵タッチ感に近似したタイミングで鍵２にクリック感を付与することができるので、これによっても、アコ―スティックピアノの鍵タッチ感に近似した鍵タッチ感を得ることができる。
【００９７】
なお、上述した第１実施形態では、クリック感付与部材４５の弾性変形部４７を支持レール部４６に設け、押圧部４８を伝達部材１０に設けた場合について述べたが、この発明はこれに限らず、例えばクリック感付与部材４５の弾性変形部４７を伝達部材１０それぞれに設け、押圧部４８を伝達部材１０それぞれに対応させた状態で支持レール部４６に設けた構成であっても良い。
【００９８】
（第２実施形態）
次に、図８〜図１１を参照して、この発明を電子鍵盤楽器に適用した第２実施形態について説明する。なお、図１〜図７に示された第１実施形態と同一部分には同一符号を付して説明する。
この電子鍵盤楽器の鍵盤装置１は、図８〜図１０に示すように、クリック感付与部材５５が第１実施形態と異なる構成であり、これ以外は第１実施形態とほぼ同じ構成になっている。
【００９９】
すなわち、このクリック感付与部材５５は、図８〜図１０に示すように、支持レール部４６に設けられた弾性変形部５６と、伝達部材１０それぞれに設けられて弾性変形部５６を弾性変形させる押圧部５７とを備えている。このクリック感付与部材５５は、ハンマー部材１１が上限位置に到達す前に、押鍵操作されている鍵２に対応する伝達部材１０に弾性変形によるクリック感を発生させ、このクリック感を押鍵操作されている鍵２を介してユーザに付与するように構成されている。
【０１００】
この場合、弾性変形部５６は、図８〜図１０に示すように、帯状のゴムシート５６ａにドーム部５６ｂを膨出形成したものであり、ゴムシート５６ａが支持レール部４６の取付部４６ａの下面に伝達部材１０の配列方向に沿って取り付けられ、ドーム部５６ｂが上下逆向きで伝達部材１０それぞれに対応した状態で配置された構成になっている。ドーム部５６ｂは、その下側から押圧された際に、弾性変形を開始し、その弾性変形が予め定められた弾性変形を越えると、急激に弾性変形（座屈変形）するように構成されている。
【０１０１】
押圧部５７は、第１実施形態と同様、伝達部材１０の伝達本体部２１の前端部からドーム部５６ｂの下側に向けて突出する当接突起部５７ａと、この当接突起部５７ａの下面に設けられた補強部５７ｂとを有し、これらが伝達本体部２１に一体に形成されている。この押圧部５７は、伝達部材１０が伝達保持軸２０を中心に上方に回転した際に、当接突起部５７ａが弾性変形部５６のドーム部５６ｂに当接してドーム部５６ｂを弾性変形させるように構成されている。
【０１０２】
これにより、クリック感付与部材５５は、図８〜図１１に示すように、鍵２の押鍵操作によって伝達部材１０が押し上げられて伝達保持軸２０を中心に回転して、ハンマー部材１１が上限位置に到達する前に、伝達部材１０の押圧部５７の当接突起部５７ａが支持レール部４６に設けられた弾性変形部５６のドーム部５６ｂに下側から当接することにより、鍵荷重を重くするように構成されている。
【０１０３】
また、このクリック感付与部材５５は、図８〜図１１に示すように、押圧部５７の当接突起部５７ａが弾性変形部５６を押圧してドーム部５６ｂを弾性変形させる際に、ドーム部５６ｂが弾性変形を開始し、その弾性変形が予め定められた弾性変形を越えると、ドーム部５６ｂが座屈するように急激に弾性変形することにより、伝達部材１０にクリック感を発生させて、鍵荷重を急激に軽くし、鍵２を介してユーザにクリック感を付与するように構成されている。
【０１０４】
次に、このような電子鍵盤楽器の鍵盤装置１の作用について説明する。
この鍵盤装置１では、鍵２が押鍵操作されていない初期状態で、鍵２が押鍵操されると、鍵２がバランスピン４ａ、４ｂを中心に回転し、鍵２のキャプスタン２４が伝達部材１０を押し上げる。すると、伝達部材１０がその自重に抗して伝達保持部材１２の伝達保持軸２０を中心に図６において反時計回りに回転し、この伝達部材１０の回転動作が連動制御部３１によってハンマー部材１１に伝達され、ハンマー部材１１がその自重に抗して押上げられる。
【０１０５】
すなわち、伝達部材１０が図８において反時計回りに回転すると、この伝達部材１０の回転に伴って連動突起部３２がガイド孔３３の前端上部に当接してガイド孔３３の前端上部を押し上げる。これにより、ハンマー部材１１がハンマー保持部材１３のハンマー保持軸２７を中心に図８において時計回りに回転して、鍵２にアクション荷重を付与する。このときには、ハンマー部材１１の慣性モーメントによって鍵２にアクション荷重が付与されるので、第１実施形態と同様、鍵荷重が急に重くなる。
【０１０６】
このようにハンマー部材１１がハンマー保持軸２７を中心に時計回りに回転すると、ハンマーアーム３０のスイッチ押圧部３９がスイッチ基板４０に設けられたゴムスイッチ４２の逆ドーム状の膨出部４２ａを下側から押圧する。これにより、逆ドーム状の膨出部４２ａが弾性変形して、膨出部４２ａ内の複数の可動接点４２ｂが時間間隔を持って順次、複数の固定接点に接触する。
【０１０７】
このときには、第１実施同様と同様、鍵荷重が再び重くなる。また、このときには、押鍵された鍵２に応じたスイッチ信号が音源部（図示せず）に供給され、この音源部で楽音データが生成され、この生成された楽音データに基づいて発音部としてのスピーカ（図示せず）から楽音を発生する。
【０１０８】
そして、伝達部材１０が伝達保持軸２０を中心に更に回転すると、図９および図１１に示すように、クリック感付与部材５５によって押鍵操作されている鍵２にクリック感が付与される。すなわち、伝達部材１０が回転して、ハンマー部材１１が上限位置に到達する前に、図１１（ａ）および図１１（ｂ）に示すように、伝達部材１０の押圧部５７の当接突起部５７ａが支持レール部４６に設けられた弾性変形部５６のドーム部５６ｂに下側から当接する。これにより、ドーム部５６ｂが弾性変形を開始するので、第１実施形態と同様、鍵荷重が急激に重くなる。
【０１０９】
この状態で、伝達部材１０が伝達保持軸２０を中心に更に回転すると、図１１（ｂ）に示すように、クリック感付与部材５５の押圧部５７の当接突起部５７ａが弾性変形部５６のドーム部５６ｂを更に押圧して、ドーム部５６ｂが予め定められた弾性変形を越えると、ドーム部５６ｂが座屈するように急激に弾性変形する。これにより、鍵荷重が急激に軽くなり、第１実施形態と同様、鍵２にクリック感がレットオフ感として付与される。
【０１１０】
この後、ハンマー部材１１がハンマー保持軸２７を中心に更に時計回りに回転すると、ハンマーアーム３０が上限ストッパ３７に下側から当接して、ハンマー部材１１の回転が規制されて停止される。このときには、第１実施形態と同様、鍵荷重が再び急激に重くなる。これにより、アコ―スティックピアノの鍵タッチ感に近似した鍵タッチ感が得られる。
【０１１１】
そして、鍵２に対する押鍵操作が終了して、鍵２が初期位置に戻る離鍵動作（復帰動作）を開始する際には、第１実施形態と同様、鍵荷重が急激に軽くなり、クリック感付与部材５５の弾性変形部５６が弾性復帰して押圧部５７を押し下げると、鍵荷重が少し緩やかに低下する。この後、ハンマーアーム３０のスイッチ押圧部３９がスイッチ基板４０に設けられたゴムスイッチ４２の膨出部４２ａの弾性復帰力によって押し下げられるので、第１実施形態と同様、鍵荷重が更に緩やかに低下する。
【０１１２】
この状態で、ハンマー部材１１がハンマー保持軸２７を中心に反時計回りに更に回転し、ハンマーアーム３０のスイッチ押圧部３９がスイッチ基板４０のゴムスイッチ４２から下側に離れ、伝達部材１０がその自重で鍵２を押し下げると、第１実施形態と同様、鍵荷重が急に低下し、鍵２が初期位置に戻る。
【０１１３】
このように、この電子鍵盤楽器の鍵盤装置１によれば、鍵２が押鍵操作されて伝達部材１０が回転し、この伝達部材１０によってハンマー部材１１が上下方向に回転する際に、クリック感付与部材５５が伝達部材１０に弾性変形によるクリック感を発生し、このクリック感をレットオフ感として押鍵操作されている鍵２に付与することができる。
【０１１４】
これにより、この鍵盤装置１においても、第１実施形態と同様、アコ―スティックピアノの鍵タッチ感に近似した鍵タッチ感を得ることができると共に、クリック感付与部材５５が伝達部材１０に弾性変形によるクリック感を発生する構成であるから、構造が簡単で、生産性が良く、低価格を図ることができる。
【０１１５】
この場合にも、クリック感付与部材５５は、伝達部材１０の配列方向に沿って配置された支持レール部４６に設けられた弾性変形部５６と、伝達部材１０に設けられて弾性変形部５６を弾性変形させる押圧部５７と、を備えていることにより、この押圧部５７を伝達部材１０に一体に設けることができるので、第１実施形態と同様、弾性変形部５６が設けられた支持レール部４６を追加するだけで良いので、部品点数が少なく、構造が簡単で、生産性が良く、低価格を図ることができる。
【０１１６】
また、このクリック感付与部材５５の弾性変形部５６は、支持レール部４６の下面に伝達部材１０の配列方向に沿って取り付けられるゴムシート５６ａと、このゴムシート５６ａに膨出形成されて伝達部材１０それぞれに対応するドーム部５６ｂと、を有していることにより、伝達部材１０それぞれに対応するドーム部５６ｂを有していても、ゴムシート５６ａによってドーム部５６ｂを伝達部材１０それぞれに対応させて組み付けることができるので、部品点数が少なく、構造が簡単で、生産性が良く、低価格を図ることができる。
【０１１７】
この場合、弾性変形部５６は、押圧部５７がドーム部５６ｂに当接してドーム部５６ｂを押圧した際に、ドーム部５６ｂが弾性変形を開始するので、鍵荷重を重くすることができ、ドーム部５６ｂが更に押圧されて予め定められた弾性変形を越えると、ドーム部５６ｂが急激に弾性変形することにより、鍵荷重を急激に軽くすることができ、これにより鍵２にレットオフ感を付与することができるので、アコ―スティックピアノの鍵タッチ感に近似した鍵タッチ感を得ることができる。
【０１１８】
さらに、このクリック感付与部材５５は、鍵２が押鍵操作されて伝達部材１０がハンマー部材１１を回転させた際に、その回転したハンマー部材１１が上限位置に到達す前に、鍵２にクリック感を付与することにより、アコ―スティックピアノの鍵タッチ感に近似したタイミングで鍵２にクリック感を付与することができるので、これによっても、アコ―スティックピアノの鍵タッチ感に近似した鍵タッチ感を得ることができる。
【０１１９】
なお、上述した第２実施形態では、クリック感付与部材５５の弾性変形部５６を支持レール部４６に設け、押圧部５７を伝達部材１０に設けた場合について述べたが、この発明はこれに限らず、例えばクリック感付与部材５５の弾性変形部５６を伝達部材１０それぞれに設け、押圧部５７を支持レール部４６に伝達部材１０それぞれに対応させて設けた構成であっても良い。
【０１２０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２１】
（付記）
請求項１に記載の発明は、複数の鍵と、前記複数の鍵それぞれに対応して設けられたアクション機構と、を備え、前記アクション機構は、前記鍵の押鍵操作に応じて動く伝達部材と、前記押鍵操作された鍵に対応する前記伝達部材の動作に応じて上下方向に動くことにより、前記押鍵操作されている鍵に対してアクション荷重を付与するハンマー部材と、前記伝達部材の動作に応じて弾性変形することによって前記押鍵操作された鍵を介してクリック感を付与するクリック感付与部材と、を備えていることを特徴とする鍵盤装置である。
【０１２２】
請求項２に記載の発明は、請求項１に記載の鍵盤装置において、前記クリック感付与部材は、前記伝達部材の配列方向に沿って配置された支持レール部と前記伝達部材との一方に設けられた弾性変形部と、前記支持レール部と前記伝達部材との他方に設けられて、前記弾性変形部を弾性変形させる押圧部と、を備えていることを特徴とする鍵盤装置である。
【０１２３】
請求項３に記載の発明は、請求項２に記載の鍵盤装置において、前記弾性変形部は前記支持レール部に設けられ、前記押圧部は前記伝達部材に設けられていることを特徴とする鍵盤装置である。
【０１２４】
請求項４に記載の発明は、請求項２または請求項３に記載の鍵盤装置において、前記弾性変形部は、前記押圧部が当接して乗り越える際に弾性変形するフック部を備えていることを特徴とする鍵盤装置である。
【０１２５】
請求項５に記載の発明は、請求項２または請求項３に記載の鍵盤装置において、前記弾性変形部は、前記押圧部が当接して押圧された際に弾性変形するドーム部を備えていることを特徴とする鍵盤装置である。
【０１２６】
請求項６に記載の発明は、請求項１〜請求項５のいずれかに記載の鍵盤装置において、前記クリック感付与部材は、前記鍵が押鍵操作されて前記伝達部材が前記ハンマー部材を動作させた際に、前記ハンマー部材が上限位置に到達す前に、前記押鍵操作されている鍵を介してクリック感を付与することを特徴とする鍵盤装置である。
【０１２７】
請求項７に記載の発明は、請求項１〜請求項６のいずれかに記載の鍵盤装置と、前記鍵盤装置の前記複数の鍵の操作に応じて楽音を発生する音源部と、前記複数のハンマー部材夫々に対応して設けられ、当該ハンマー部材の回転動作に応答して押圧されることにより、楽音を発音するためのオン信号を出力する複数のスイッチ部と、を備えていることを特徴とする鍵盤楽器である。
【符号の説明】
【０１２８】
１  鍵盤装置
２  鍵
３  アクション機構
１０  伝達部材
１１  ハンマー部材
１２  伝達保持部材
１３  ハンマー保持部材
２０  伝達保持軸
２１  伝達本体部
２２  伝達嵌合部
２７  ハンマー保持軸
２９  ハンマー部
２８  ハンマー嵌合部
３０  ハンマーアーム
３１  連動制御部
３２  連動突起部
３３  ガイド孔
４５、５５  クリック感付与部材
４６  支持レール部
４７、５６  弾性変形部
４８、５７  押圧部
５０  弾性フック部
５０ａ  変形支持部
５０ｂ  変形当接部
５６ａ  ゴムシート
５６ｂ  ドーム部
【図１】
0006663127.tif 000002
【図２】
0006663127.tif 000003
【図３】
0006663127.tif 000004
【図４】
0006663127.tif 000005
【図５】
0006663127.tif 000006
【図６】
0006663127.tif 000007
【図７】
0006663127.tif 000008
【図８】
0006663127.tif 000009
【図９】
0006663127.tif 000010
【図１０】
0006663127.tif 000011
【図１１】
0006663127.tif 000012